(57)【要約】      （修正有）【課題】洗口用液の計量具と、この洗口用液を用いて洗口後の吐出液が入れられる回収具と、この吐出液の濁度判定具とを備え、口腔内の清潔度を簡便かつ短時間で経済的にも有利に、しかも精度よく判定できる簡易口腔内清潔度検査キットを提供する。【解決手段】該キットの使用に当たっては、計量具１（容量５ｍＬの計量スプーン）で採取した５ｍＬのイオン交換水を回収具２（プラスチック製のコップ）に入れ、この回収具２内の洗口用液を被験者が口に含んで１０秒間洗口した後、回収具２内に吐出し、この吐出液を洗口後の吐出液として採取する。さらに、洗口後の吐出液を室温下、直ちに簡易口腔内清潔度検査キットの測定検体収容具４（透明のディスポーサブル・セル）に３ｍＬ入れ、濁度判定用線状指標５により濁度を視覚判定する。なお、線状指標５は、バックグラウンド色調はＪＩＳ  Ｚ  ８７２１  規格の無彩色明度の段階スケールのＮｏ．１７、線形指標はＮｏ．１１の色調とする。視覚判定は、線形指標の存在の視覚による確認の有無で行う。【選択図】図１
0003166049.tif 000002
【実用新案登録請求の範囲】
【請求項１】
洗口用液の計量具と、この洗口用液を用いて洗口後の吐出液が入れられる回収具と、この吐出液の濁度判定具とを備えたことを特徴とする簡易口腔内清潔度検査キット。
【請求項２】
濁度判定具が、吐出液が入れられる測定検体収容具とその濁度判定用線状指標とを備えたものである請求項１記載の簡易口腔内清潔度検査キット。
【請求項３】
測定検体収容具が、透明のプラスチック製セルである請求項２記載の簡易口腔内清潔度検査キット。
【請求項４】
濁度判定用線状指標が、背景とこれと色調が異なる１本以上の線形指標とを備えたものである請求項２又は３記載の簡易口腔内清潔度検査キット。
【請求項５】
濁度判定用線状指標の背景と線形指標とが、ＪＩＳ  Ｚ  ８７２１規格の三属性による色の表示方法における無彩色明度の段階スケールに準拠した１８段階の色見本において６段階以内の色調コントラスト差を有するものである請求項４記載の簡易口腔内清潔度検査キット。
【請求項６】
線形指標が、色調の異なる２本以上の線形指標を備えたものである請求項５記載の簡易口腔内清潔度検査キット。
【請求項７】
色調の異なる２本以上の線形指標が、ＪＩＳ  Ｚ  ８７２１規格の三属性による色の表示方法における無彩色明度の段階スケールに準拠した１８段階の色見本において２段階以上の色調コントラスト差を有するものである請求項５記載の簡易口腔内清潔度検査キット。
【請求項８】
洗口用液の計量具と、この洗口用液を用いて洗口後の吐出液が入れられる回収具と、この吐出液が入れられる測定検体収容具と、この吐出液の濁度判定用色見本とを備えたことを特徴とする簡易口腔内清潔度検査キット。
【請求項９】
測定検体収容具が、透明のプラスチック製セルである請求項７記載の簡易口腔内清潔度検査キット。
【請求項１０】
濁度判定用色見本が、ＪＩＳ  Ｚ  ８７２１規格の三属性による色の表示方法における無彩色明度の段階スケールに準拠した１８段階の色見本のうちの２〜５段階の判別用色見本を備えたものである請求項７又は８記載の簡易口腔内清潔度検査キット。
【考案の詳細な説明】
【技術分野】
【０００１】
本考案は、口腔内を洗口後の吐出液の濁度を迅速かつ簡便に測定でき、これにより口腔内の清潔度を予測することができる簡易口腔内清潔度検査キットに関する。
【背景技術】
【０００２】
口腔内の清潔度は、唾液や口腔内全体の総細菌数に依存すると考えられている。しかし、総細菌数の測定は、時間と多くの労力を要するため面倒であり、集団検診等で用いたり、セルフチェック（自己判定）することは困難であった。
【０００３】
口腔内の清潔度の評価については、唾液や歯垢などを培養しコロニー数をカウントする方法（非特許文献１）、細菌に特異的な酵素活性を測定する方法、細菌の抗原量や遺伝子量を測定する方法（非特許文献２，３）などが提案されている。しかしながら、これらは測定終了までに早いものでも５分間から数日間を要し、また、高価な分析機器を用いる場合も多く、操作が面倒で汎用性にも劣るものであった。
【０００４】
更に、プラーク（歯垢）や歯石の存在、舌苔の付着量、唾液の濁度、口腔内の細菌数などを簡便にチェックできる方法が提案されている。例えば唾液の濁度を測定してう蝕、歯周病等の口腔内疾患の有無を判定する方法として、唾液性状検査用キット及び口腔内疾患判定方法（特許文献１：特開２００４−１０８９７６号公報参照）が提案されている。しかし、この方法は唾液中の不溶性物質量を視覚的に判定するものであるが、無彩色明度のスケールが全範囲であるため、判定が難しく、特に、中・高齢者によるセルフチェックは判定し難く、迅速かつ簡便に判定し難いものであった。
【先行技術文献】
【特許文献】
【０００５】
【特許文献１】特開２００４−１０８９７６号公報
【非特許文献】
【０００６】
【非特許文献１】Davenport ES, Day S, Hardie JM et al.：A comparison between commercial kits and conventional methods for enumeration of salivary mutans streptococci and lactobacilli. Community Dent Health 9：261−71，1992．
【非特許文献２】Matsumoto Y, Sugihara N, Koseki M：A rapid and quantitative detection system for Streptococcus mutans in saliva using monoclonal antibodies. Caries Res 40：15−19，2006．
【非特許文献３】Lyons SR, Griffen AL, Leys EJ：Quantitative real-time PCR for Porphyromonas gingivalis and total bacteria. J Clin Microbiol 38：2362−2365，2000．
【非特許文献４】石川正夫，山崎洋治，森田十誉子ほか：洗口吐出液中のアンモニア濃度および濁度を指標とした口腔清潔度検査について  口腔衛生会誌５９：９３−１００，２００９．
【考案の概要】
【考案が解決しようとする課題】
【０００７】
本考案は、上記事情に鑑みなされたもので、口腔内の清潔度を簡便かつ短時間で経済的にも有利に、しかも精度よく判定し、これにより口腔内の清潔度を予測することができ、集団検診や、保健指導等の健康教育などで広範囲かつ多数の被験者の検査に使用することができ、セルフチェックでも使用できる簡易口腔内清潔度検査キットを提供することを目的とする。
【課題を解決するための手段】
【０００８】
本考案によれば、洗口用液の計量具と、この洗口用液を用いて洗口後の吐出液が入れられる回収具と、この吐出液の濁度判定具とを備えたことを特徴とする簡易口腔内清潔度検査キットによって、上記目的を達成したものである。
【０００９】
この場合、濁度判定具が、吐出液が入れられる測定検体収容具とその濁度判定用線状指標とが備えられたものであることが好ましい。なお、測定検体収容具としては、透明のプラスチック製セルであることが好ましい。
【００１０】
また、濁度判定用線状指標は、背景（バックグラウンド）とこれと色調が異なる１本以上の線形指標とを備えたものであることが好ましい。
この場合、濁度判定用線状指標のバックグラウンドと線形指標とが、ＪＩＳ  Ｚ  ８７２１規格の三属性による色の表示方法における無彩色明度の段階スケールに準拠した１８段階の色見本において６段階以内の色調コントラスト差を有するものであることが好ましい。
更に、線状指標が、色調の異なる２本以上の線形指標を備えたものとすることができ、この２本以上の線形指標は、ＪＩＳ  Ｚ  ８７２１規格の三属性による色の表示方法における無彩色明度の段階スケールに準拠した１８段階の色見本において２段階以上の色調コントラスト差を有するものであることが好ましい。
【００１１】
また、本考案にかかわる他の態様によれば、洗口用液の計量具と、この洗口用液を用いて洗口後の吐出液が入れられる回収具と、この吐出液が入れられる測定検体収容具と、この吐出液の濁度判定用色見本とを備えたことを特徴とする簡易口腔内清潔度検査キットによって、上記目的を達成したものである。
【００１２】
この場合、測定検体収容具が透明のプラスチック製セルであることが好ましい。
【００１３】
また、濁度判定用色見本が、ＪＩＳ  Ｚ  ８７２１規格の三属性による色の表示方法における無彩色明度の段階スケールに準拠した１８段階の色見本のうちの２〜５段階の判別用色見本を備えたものであることが好ましい。
【００１４】
本考案者らは、迅速かつ簡易な口腔内の清潔度検査法を確立することを目的に、唾液に比べ短時間で採取が可能な、洗口後の吐出液を用いた簡易検査法の確立を試みた。その中で、洗口後の吐出液及び安静時唾液を用いた職域成人の調査研究結果から、口腔内の清潔度の指標として応用の可能性が考えられる化学的・物理的因子の中から、濁度が汚れの指標である総細菌数との関連性が高いことに着目し、本考案者らは、口腔内の総細菌数に関連する因子として吐出液の濁度を光の吸光度で測定する口腔内清潔度検査キットを実用新案第３１５１１２４号に提案した。この方法は２００９年、口腔衛生会誌（非特許文献４）に掲載されている。本考案者らは、この検査キットが測定に高価な機器（濁度測定器）を用いる必要があることから、このような機器を使用しなくても迅速かつ簡便に検査できる技術に着目し、更に簡易な検査法の確立を試みた結果、洗口後の吐出液の濁度を指標とした、より簡便に自立高齢者などが自分で視覚により判定可能で、かつ迅速な上記簡易口腔内清潔度検査キットを考案することができたものである。
【考案の効果】
【００１５】
この考案の簡易口腔内清潔度検査キットによれば、洗口用液の計量具と、この洗口用液を用いて洗口後の吐出液が入れられる回収具と、この吐出液の濁度判定具とを備えるだけで、短時間で採取が可能な洗口後の吐出液を用いて、この洗口後の吐出液の濁度を、機器を使用せずに簡単かつ短時間で測定でき、この結果から口腔内の清潔度を簡便かつ短時間で経済的にも有利に、しかも精度よく判定できる。
【００１６】
この考案の他の態様に係る簡易口腔内清潔度検査キットによれば、洗口用液の計量具と、この洗口用液を用いて洗口後の吐出液が入れられる回収具と、この吐出液が入れられる測定検体収容具と、この吐出液の濁度判定用色見本とを備えるだけで、短時間で採取が可能な洗口後の吐出液を用いて、この洗口後の吐出液の濁度を、機器を使用せずに簡単かつ短時間で測定でき、この結果から口腔内の清潔度を簡便かつ短時間で経済的にも有利に、しかも精度よく判定できる。
【００１７】
従って、本考案の簡易口腔内清潔度検査キットは、集団検診や、保健指導等の健康教育などで広範囲かつ多人数の被験者を一度に検査する際に有効に使用することができる。
また、ＬＤＨ（公益財団法人ライオン歯科衛生研究所）の行っているような産業活動、健康教育活動、診療活動、教育活動および研究活動度に参加する対象者の口腔内の清潔度（口腔内の清潔度、口腔清掃度）を客観的かつ簡易にセルフチェックできる検査キットとして使用することができる。更に、自宅、職場、高齢者施設はじめ介護現場等でも口腔内の清潔度を検査するために活用することもできる。
口腔内の清潔度に影響を及ぼす因子は食物残渣、剥離上皮細胞、食品や嗜好品由来の色素やタール、歯垢、舌苔などが考えられ、特に歯垢や舌苔量が多くなると唾液中の総細菌数が増加し、高齢者では誤嚥性肺炎等のリスクが高まることも指摘されている。本考案により口腔内清潔度を検査することによって、口腔内の衛生状態を予想し、歯垢や舌苔量などの上記因子の影響を推測することができ、これにより、う蝕や歯周疾患のリスクや誤嚥性肺炎のリスク等を推測することも可能と考えられる。
【図面の簡単な説明】
【００１８】
【図１】本考案の簡易口腔内清潔度検査キットの一実施態様を示す概略斜視図である。
【図２】図１のキットを用いて口腔内清潔度を検査する工程を示す概略斜視図である。
【図３】本考案の簡易口腔内清潔度検査キットの他の実施態様を示す概略斜視図である。
【図４】図３のキットを用いて口腔内清潔度を検査する工程を示す概略斜視図である。
【考案を実施するための形態】
【００１９】
以下、図面を参照してこの考案の最良の形態を説明する。図１は、簡易口腔内清潔度検査キットの一例を示すもので、洗口用液の計量具１と、洗口用液で洗口後の吐出液が入れられる回収具２と、この吐出液の濁度判定具３とを備えたものである。
【００２０】
図１中１は洗口用液の計量具であって、計量スプーンである。計量具１は洗口用液を一定量計量し採取できるものであればその形状や材質は特に限定されず、スプーン形状、カップ状などのものが計量し易くかつ入手容易であり、好適に使用でき、計量のための目盛り付きのものを使用してもよい。また、計量具１は一般的に一回の使用で使い捨てされ（ディスポーザブル）、材質としては各種プラスチック製、紙製のものが、使い捨て容易で安価かつ入手し易いことから好適である。計量採取できる容量は必要に応じで適宜選定できるが、３〜２０ｍＬ、特に３〜１０ｍＬ程度採取計量できるものが好ましい。なお、必要に応じて容量の異なる２種以上のものを組み合わせて使用してもよい。
【００２１】
図１中２は、洗口用液で洗口後の吐出液が入れられる回収具である。この回収具２は、計量具１で計量採取した洗口用液を使用者が口腔内に含み洗口した後の唾液を含む吐出液（洗口後の吐出液）を吐き出すために使用されるものであるが、必要に応じて計量具１で計量採取した、洗口に使用される前の洗口用液を一端収容しておき、洗口用液を口腔内に含むための用具として兼用して使用してもよい。この場合、洗口用液を口腔内に含み洗口する際に回収具２内は空になるので、この空になった回収具２が、吐出液を吐き出すための回収具に利用される。
【００２２】
回収具２の形状や材質は特に限定されず、カップ状、ボトル状、ビーカー状、遠沈管状、スピッツ管状、試験管状、セル状、バイアル状などのものが計量し易くかつ入手容易であり、好適に使用できる。また、未使用時には折りたたまれ、使用時にカップ状、ビーカー状、遠沈管状、スピッツ管状、試験管状、セル状、バイアル状などに成形できる折りたたみ式のものを用いてもよい。回収具２は一般的に一回の使用で使い捨てされ（ディスポーザブル）、材質としては各種プラスチック製、紙製のものが、使い捨て容易で安価かつ入手し易いことから好適である。回収具２の容量は、吐出液を収容できれば特に制限はなく適宜選定できるが、１２〜３００ｍＬ、特に３０〜１５０ｍＬ程度の容量のものが好ましい。
【００２３】
図１中３は吐出液の濁度判定具であり、吐出液が入れられる測定検体収容具４とその濁度判定用線状指標５と、蓋体６からなり、濁度判定用線状指標５は検体収容具４の側面、特に外側面に、該指標が可視可能に貼付されることが好ましい。
【００２４】
ここで、測定検体収容具としては、透明で収容検体及び濁度判定用線状指標の線形指標が目視できればその材質や成分などに特に制限はなく、また構造にも制限はなく、種々の形状のものを使用できる。例えば透明なプラスチック等の材質でセル状、試験管状、スチロール角形ケース状、瓶状、スポイトの持ち手部分状、ピペット状、カップ状などのものが使用できるが、セル状のものが判定し易くかつ入手容易であり、好適に使用できる。
【００２５】
濁度判定用線状指標の形状は、特に限定されないが、測定検体収容具の側面、特に外側面に貼付できる形状であることが望ましく、貼付し易さや判定し易さの点から四角形状などが好適であり、幅１０〜３０ｍｍ、長さ３５〜１００ｍｍ、厚さ１０〜３０ｍｍ程度のものが望ましい。
また、この測定検体収容具は蓋を付けることも可能であり、蓋をつけることにより吐出液で手を汚すことなく検体の濁度を判定できる。
【００２６】
また、図１中、濁度判定用線状指標５は、測定検体収容具４の外側面に貼付されているが、その貼付位置は適宜調整でき、測定検体収容具の形状等に応じ視覚判定し易い位置に貼付することが好ましく、検体が収容される測定検体収容具４の下部の外側面に貼付することが視覚判定し易く好適である。
【００２７】
濁度判定用線状指標としては、バックグラウンドとこれと色調が異なる１本又は２本以上の線形指標とをこのバックグラウンド内に備えたものが好ましく、バックグラウンドとの色調コントラスト差により線形指標が目視可能な状態に形成されたものであることが、視覚で判定しやすく好適である。
この場合、濁度判定用線状指標のバックグラウンドと線形指標とが、ＪＩＳ  Ｚ  ８７２１規格の三属性による色の表示方法における無彩色明度の段階スケールに準拠した１８段階の色見本において６段階以内、特に１〜５段階の色調コントラスト差を有するものであることが好ましい。
ＪＩＳ  Ｚ  ８７２１規格の三属性による色の表示方法における無彩色明度の段階スケールは、物体色の明るさの基準となるマンセルバリュー（Ｎ１．０〜Ｎ９．５）をＪＩＳ  Ｚ  ８７２１（三属性による色の表示方法）に準拠して０．５ステップごとに色票化し１８段階の明度段階スケールとなっている。上記バックグラウンドと線形指標とは、この段階スケールにおいて６段階以内、特に１〜５段階の明度の差を有することが好ましい。
【００２８】
また、濁度判定用線状指標の線形指標は、線形指標が１本だけでもよいが、バックグラウンド内に色調の異なる２本以上の線形指標を備えたものであってもよい。この場合、２本以上の線形指標は、ＪＩＳ  Ｚ  ８７２１規格の三属性による色の表示方法における無彩色明度の段階スケールに準拠した１８段階の色見本において２段階以上、特に２〜４段階の色調コントラスト差を有するものであることが、濁度を判定し易く好適である。
なお、線形指標の線幅は０．５〜３ｍｍとすることができ、同一線幅のものを備えることができるが、異なる線幅の２本以上の線形指標を備えてもよい。
【００２９】
具体的には、１本の線形指標を形成し、濁度判定用線状指標のバックグラウンドは上記１８段階の明度段階スケールのＮｏ．１７、線形指標はＮｏ．１１の明度とすることができる。なお、バックグラウンドと線形指標との明度を逆転させ、バックグラウンドがＮｏ．１１、線形指標がＮｏ．１７としてもよい。
また、２本の線形指標を形成する場合は、例えば濁度判定用線状指標のバックグラウンドは上記１８段階の明度段階スケールのＮｏ．１７とし、２本の線形指標をそれぞれＮｏ．１１とＮｏ．１４の明度、あるいはＮｏ．１１とＮｏ．１３の明度とすることができる。なお、バックグラウンドと線形指標との明度を逆転させ、バックグラウンドがＮｏ．１１で、線形指標がＮｏ．１４とＮｏ．１７の明度、あるいはＮｏ．１３とＮｏ．１７の明度としてもよい。
【００３０】
濁度判定用線状指標５による口腔内の清潔度は、例えば、下記のように線形指標を視覚で確認して下記のような段階で濁度を判別し、その判別結果から判定することができる。
お口の清潔度チェック（線状指標）
汚れている：
バックグラウンドとの色調差が６又は７段階離れている線形指標が視覚で見えない。
やや汚れている：
バックグラウンドとの色調差が３又は４段階離れている線形指標が視覚で見えない。
清潔：
バックグラウンドとの色調差が２段階以下離れている線形指標が視覚で見えない。
具体例として、線形指標が１本線である場合の例を下記に示す。
汚れている：
バックラウンドの色調がＮｏ．１７で、色調Ｎｏ．１１の線形指標が見えない。
やや汚れている：
バックラウンドの色調がＮｏ．１７で、色調Ｎｏ．１４の線形指標が見えない。
【００３１】
なお、異なる線幅の２本以上の線形指標を備えた場合は、汚れがひどい場合ほど線幅が太い線が見えなくなるので、このような線幅に応じて濁度を判定することもできる。なお、線形指標の線幅は０．５〜３ｍｍの範囲とすることができ、例えば２本の場合は線幅０．５〜３ｍｍと０．５〜２．１ｍｍとの２本の線形指標を備え、線幅差は０．２〜２．０ｍｍとすることが好ましい。
【００３２】
上記口腔内清潔度検査具にて濁度により清潔度を検査する場合は、例えば図２に示すように計量具１で洗口用液７を計量採取し（１−１）、この洗口用液７で洗口後の吐出液を回収具２内に回収後（１−２）、この回収具２内の吐出液を測定検体収容具４内に入れ（１−３）、この測定検体収容具４を蓋体５で蓋をした後に、測定検体収容具４内の吐出液検体８を透過して濁度判定用線状指標を視覚で確認し濁度を判別することで、清潔度を検査することができる。
【００３３】
ここで、計量具１で採取する洗口用液７の採取量は、必要に応じで適宜選定できるが、３〜２０ｍＬ、特に３〜１０ｍＬ程度が好ましい。洗口用液としては、水道水、イオン交換水、蒸留水、ミネラルウォーター等が挙げられ、これらから選ばれる洗口用液を必要に応じて選択して使用することができる。
洗口用液による洗口は、通常の方法で行うことができ、洗口用液を口腔内に含んで洗口をしながら５〜３０秒間洗口することが好ましい。
なお、吐出液の濁度の判定は、吐出液を採取し検体収容具内の収容した後、直ちに判定することが好ましい。
【００３４】
次に、図３は、口腔内清潔度検査キットの他の例を示すもので、洗口用液の計量具１と、洗口用液で洗口後の吐出液が入れられる回収具２と、この吐出液が入れられる測定検体収容具１１とその蓋体１２と、この収容具中の吐出液の濁度を判定するための濁度判定用色見本１３を備えたものである。また、濁度判定用色見本１３は、お口の清潔度チェック票としてバックグラウンド色見本１４の下部に２〜５段階の判別用色見本１５が平行に並べられ、その下にそれぞれのスコア数値と清潔度の判定基準が記載され、この判別用色見本の横には判定スコア記載欄１６が設けられている。
【００３５】
なお、図３、更には図４において、計量具１、回収具２及び洗口用液７以外の構成は上記図１に示した口腔内清潔度検査キットと同様であるので、図３に図１と同様の参照符号を付して、その説明を省略する。
【００３６】
ここで、測定検体収容具としては、透明で収容検体が目視できればその材質や成分などに特に制限はなく、また構造にも制限はなく、種々の形状のものを使用できる。例えば図１に示す濁度判定具３において濁度判定用線状指標が貼付されていないものと同様のものを使用できる。その材質や形状等は上記と同様とすることができ、透明なプラスチック製セルが判定し易くかつ入手容易であり、好適に使用できる。
【００３７】
更に、濁度を判定するための濁度判定用色見本は、濁度を判定できればその色見本は特に制限されないが、上記と同様のＪＩＳ  Ｚ  ８７２１規格の三属性による色の表示方法における無彩色明度段階スケールに準拠して０．５ステップごとに色票化し、１８段階から選ばれた色見本を基準とし、この色見本の中の２〜５段階の判別用色見本を備えたものとすることが好ましい。
【００３８】
口腔内の清潔度は、例えば図３において濁度判定用色見本１３による濁度の視覚判別により判定できる。例えば、図３の判別用色見本１３においてバックグラウンド色見本１４は、ＪＩＳ  Ｚ  ８７２１規格の無彩色明度段階スケールにおいてＮｏ．１７の明度の色見本であり、また、判別用色見本１５は、同様の無彩色明度段階スケールにおいて、スコア０はＮｏ．１７、スコア１はＮｏ．１０、スコア２はＮｏ．８、スコア３はＮｏ．４、スコア４はＮｏ．２の明度の色見本である。この判別用色見本１５と検体の色調を比較し、そのスコア数値が０又は１の場合は清潔、２の場合はやや汚れている、３又は４の場合は汚れていると口腔内の清潔度を判定することができ、判定結果は判定スコア記載欄１６に記入することができる。
【００３９】
上記口腔内清潔度測定キットにおいて、濁度の測定は、図４に示す工程で行うことができる。この場合、図２に示した簡易口腔内清潔度測定キットの場合と同様に図２に示す１−１、１−２の工程により、計量具１で計量採取した洗口用液７で洗口後の吐出液を回収具２内に回収した後、この回収具２内の吐出液を、１−３工程により測定検体収容具１１に流し入れて必要に応じて蓋体１２で蓋をした後、１−４の工程により濁度を判定する。この場合、濁度を判定する際は、１−４の工程により、吐出液検体１７を収容した測定検体収容具１１を、濁度判定用色見本１３のバックグラウンド色見本１４及び判別用色見本１５と平行に移動させ、吐出液検体１７の色調を判別用色見本１５と視覚により比較し、最も類似している色調の色見本下のスコア値で濁度を判別し、その結果から清潔度を判定することができる。
【００４０】
なお、洗口用液の採取量や種類、洗口方法などは、図２に示す工程において記載したものと同様とすることができる。
【００４１】
本考案のキットを用いて口腔内清潔度を測定する場合、被験者は食物摂取後６０〜１２０分間程度経過した状態であることが、食物摂取の影響を防止する点で好ましい。
【００４２】
以上、本考案の具体例２例を示したが、本考案は上記例に限定されるものではなく、各部の構成や組み合わせは、本考案の要旨を逸脱しない範囲であれば種々変更して差し支えない。
【実施例】
【００４３】
〔実験例１〕
この考案の一具体例として、図１に示す簡易口腔内清潔度検査キットを用いて濁度を測定し、下記実験例１に示す方法で検査を行った。
１０名の自立高齢者を被験者とし、飲食後２時間以上経過した午前１０時から１１時の間に、５ｍｌの飲料水で１０秒間洗口した後の吐出液を試料として採取した。吐出液は室温下直ちに、ディスポーサブル・セルに入れ、５段階色見本または２色の基準色からなる色見本を付着したディスポーサブル・セルに入れ、各自が、マニュアルに従い目視で判定した。また、その後、器機との関連性確認のため濁度測定器により６６０ｎｍの吸光度を測定した。なお、濁度測定器としては、東京光電社製の光電比色計（商品名  ＡＮＡ−１８Ａ+）を使用し、選択波長６６０ｎｍの干渉フィルターを用いた。測定時はこの光電比色計に対応するディスポーサブル・セルとして、容量４．５ｍＬのプラスチック製の透明角セルを用い、これに上記吐出液を入れて濁度を測定した。
【００４４】
即ち、図１に示す簡易口腔内清潔度検査キットを用い、図２の工程１−１，１−２に従い、計量具１（容量５ｍＬの計量スプーン）で採取した５ｍＬのイオン交換水を回収具２（プラスチック製のコップ）に入れ、この回収具２内の洗口用液７を被験者が口に含んで１０秒間洗口した後、回収具２内に吐出し、この吐出液を洗口後の吐出液として採取した。洗口後の吐出液を室温下、直ちに図２に示す簡易口腔内清潔度検査キットの測定検体収容具４（透明のディスポーサブル・セル）に３ｍＬ入れ、濁度判定用線状指標５により濁度を視覚判定した。なお、線状指標５は、バックグラウンド色調はＪＩＳ  Ｚ  ８７２１  規格の無彩色明度の段階スケールのＮｏ．１７、線形指標はＮｏ．１１の色調とした。視覚判定は、線形指標の存在の視覚による確認の有無で行った。結果を表１に示した。
また、各判定結果の検体の上記濁度測定器による濁度測定値を平均し、表１に平均濁度として併記した。
【００４５】
【表１】
0003166049.tif 000003
口腔清潔度の濁度範囲が０．００〜０．３５未満は清潔、０．３５以上は汚れていると判定できる。
【００４６】
〔実験例２〕
この考案の他の一具体例として、図３に示す簡易口腔内清潔度検査キットを用いて濁度を測定し、下記実験例２に示す方法で検査を行った。
実験例１と同様の試料を用い、同様に濁度測定器で濁度を測定した。
【００４７】
図３に示す簡易口腔内清潔度検査キットを用い、図４の工程１−１，１−２に従い、計量具１（容量５ｍＬの計量スプーン）で採取した５ｍＬのイオン交換水を回収具２（プラスチック製のコップ）に入れ、この回収具２内の洗口用液７を被験者が口に含んで１０秒間洗口した後、回収具２内に吐出し、この吐出液を洗口後の吐出液として採取した。洗口後の吐出液を室温下、直ちに図４の工程１−３に従い、簡易口腔内清潔度検査キットの測定検体収容具１１（透明のディスポーサブル・セル）に３ｍＬ入れ、工程１−４に従い、吐出液検体８の色調を濁度判定色見本１３を用いて判定した。なお、濁度判定色見本１３において、バックグラウンド色見本１４はＪＩＳ  Ｚ  ８７２１  規格の無彩色明度の段階スケールのＮｏ．１７の明度、判別用色見本１５において、スコア０はＮｏ．１７、スコア１はＮｏ．１０、スコア２はＮｏ．８、スコア３はＮｏ．４、スコア４はＮｏ．２の明度である。視覚判定は、検体収容具１１中の吐出液検体８の色調を判別用色見本１５と視覚により比較して最も近い色調のスコアを判定結果とした。結果を表２に示した。
また、各スコア値の検体の上記濁度測定器による濁度測定値を平均し、表２に平均濁度として併記した。
【００４８】
【表２】
0003166049.tif 000004
【００４９】
表１、２の結果から、本考案の簡易口腔内清潔度検査キットにより、口腔内の濁度を簡易に目視判定でき、例えば自立高齢者が自分で濁度を判定し口腔内の清潔度を検査することが可能と認められた。
【符号の説明】
【００５０】
１  計量具
２  回収具
３  濁度判定具
４  測定検体収容具
５  濁度判定用線状指標
６  蓋体
７  洗口用液
８  吐出液検体
１１  測定検体収容具
１２  蓋体
１３  濁度判定用色見本
１４  バックグラウンド色見本
１５  判別用色見本
１６  判定スコア記載欄
１７  吐出液検体
【図１】
0003166049.tif 000005
【図２】
0003166049.tif 000006
【図３】
0003166049.tif 000007
【図４】
0003166049.tif 000008